(57)【要約】      （修正有）【課題】あらゆる物件・物品の取引において、地域経済、環境問題、安価提供、コミュニケーションを改善する取引システムを提供する。【解決手段】第三者機関の企業の加盟店２０を介して、取引の支援を行なうことで、出品者１９と落札者１８の取引を円滑に進行させる取引システムであり、複数のオークションシステムを備えた取引システムの手段を備えており、取引によってコミュニケーションが生じる取引手法と、地球環境にやさしい取引手法と、展示販売に掛かる費用の削減によって、開始の価格を安価にする取引手法と、地元企業の取引を促進させる地産地消型の取引手法と、在庫を有しない販売の取引手法と、によって販売者側と購入者側の両者が利益を共有できる取引手法と、を手段とすることを特徴とする。【選択図】図１
2014134941.tif 000002
【特許請求の範囲】
【請求項１】
個人の車輌販売を第三者機関の企業を介して、車輌の販売アシスト（ａｓｓｉｓｔ）支援を行なうことで、出品者と落札者の取引を円滑に進行させる取引システムであって、ホストコンピュータと、複数の端末コンピュータ又は、同機能を有する端末装置とが、通信システムを介して接続されており、前記端末装置は前記通信システムを介して、車輌情報のフォームで検索・入札・登録・削除の入力を行なう手段と、予め、設定することで自動的に配信されるＥメール手段を、加盟店ファイルと車輌物件ファイルとに格納した自動配信Ｅメール手段と、取引の詳細情報と価格の変動を表示する手段と、を有する前記ホストコンピュータは、メインプログラム・入札価格ファイル・イメージファイル・車輌物件ファイル・価格ファイル・加盟店ファイルと、を格納しており、制御するための制御手段を有し、取引手段として、前記メインプログラムは、オークションシステム・変動オークションシステム・選定オークションシステムと、を備え、前記オークションシステム・前記変動オークションシステム・前記選定オークションシステムの、何れかひとつの取引手段を選択することで、プログラムが稼動し、取引が開始される取引システムの手段と、前記車輌の販売のアシスト（ａｓｓｉｓｔ）支援によって、出品者と落札者の取引を円滑に進行させる取引システムは、出品者が、予め、取得したＩＤでログインすることで、車輌物件ファイルに格納した車輌情報のフォームの出品申し込み欄に、必要事項を記入し、登録キーの入力を受け付けることにより、加盟店ファイルと車輌物件ファイルと、に出品者の情報が記録される、設定により、予め格納された加盟店ファイルの住所録・郵便番号・電話番号の何れかの記録データから、近隣の加盟店の検索を行ない、出品者の住居と最も近しい加盟店を検索して、地域の加盟店の専門の技術者に、出品者の情報を提供する手段と、を備えたことを特徴とする物件・物品の取引システム。
【請求項２】
入札者は、予め取得したＩＤでログインすることで、車輌物件ファイルに格納した車輌情報のフォームで、車輌情報の閲覧と検索ができ、前記オークションシステムは、入札キーの入力を受け付けることにより、入札価格ファイルに記録される、入札受付番号を取得させて、取引期間内で最高額を入札した者を、落札者とする手段を備えたことを特徴とする請求項１に記載した物件・物品の取引システム。
【請求項３】
入札者は、予め取得したＩＤでログインすることで、車輌物件ファイルに格納した車輌情報のフォームで、車輌情報の閲覧と検索ができ、前記変動オークションシステムは、指定した数値入力と入札とによって、特許第３９２４６８２号の価格変動プログラムのアルコリズムによって稼動し、価格を変動させるシステムであって、入札キーの入力を受け付けることにより、入札価格ファイルに記録される入札受付番号を取得させて、取引期間内で最高額あるいは、指定金額を入札した者を、落札者とする手段を備えたことを特徴とする請求項１〜請求項２の何れかに記載した物件・物品の取引システム。
【請求項４】
入札者は、予め取得したＩＤでログインすることで、車輌物件ファイルに格納した車輌情報のフォームで、車輌情報の閲覧と検索ができ、前記選定オークションシステムは、最落販売価格を設定して、応札者から購入者を選定できるシステムであって、入札キーの入力を受け付けることにより、入札価格ファイルに記録される、入札受付番号を取得させて、取引期間内に出品者は、応札者の情報が自動配信Ｅメール手段にて提供されることで、出品者と応札者の面談が行なわれ、落札者を選定する手段を備えたことを特徴とする請求項１〜請求項３の何れかに記載した物件・物品の取引システム。
【請求項５】
前記オークションシステム・前記変動オークションシステム・前記選定オークションシステムの、何れかの取引手段によって、落札に至った落札者の情報は、加盟店ファイルと車輌物件ファイルと入札価格ファイルと価格ファイルと、に落札者の情報が記録される、設定により、加盟店ファイルから選定された、販売をアシストする加盟店と出品者と、に落札者の情報を提供する手段を備えたことを特徴とする請求項１〜請求項４の何れかに記載した物件・物品の取引システム。
【請求項６】
請求項１〜請求項５の前記車輌物件ファイルは、展示会又は試乗会の開催日の記録データを格納する機能を有しており、前記車輌情報のフォームから申し込みキーの入力を受け付けることにより、車輌物件ファイルに記録される、前記車輌情報のフォームに展示会又は試乗会の案内が、表示されることで参加した者は、個人同士の売買取引によって、コミュニケーションが生じる取引手法と、落札者への納車を１回に限定できることで、搬送時の陸送を軽減し、ガソリン又は軽油の化石燃料の使用量を最小限にして、ＣＯ２の排出量を削減する地球環境にやさしい取引手法と、請求項１〜請求項５の前記オークションシステム・前記変動オークションシステム・前記選定オークションシステムは、従来の展示販売に関わる土地・建物、設備・人件費の費用の削減によって、販売開始の車輌価格を安価に設定する取引手法と、地元企業の取引を活性化させて、地域経済を促進させるための地産地消型の取引手法と、取引するための在庫車輌を有しない車輌販売の取引手法と、によって販売者側と購入者側の両者が、利益を共有できる取引手法と、を手段とする取引システムを備えたことを特徴とする請求項１〜請求項５の何れかに記載した物件・物品の取引システム。
【請求項７】
前記ホストコンピュータ内に格納された、前記加盟店ファイルと前記車輌物件ファイルの名称とファイル内の車輌の情報データを消去し、新たに書き換えられた物件・物品の情報データを不動産物件ファイル・不動産加盟店ファイル、賃貸物件ファイル・賃貸加盟店ファイル、あらゆる商材に対応する物件・物品ファイル・あらゆる商材に対応する物件・物品加盟店ファイルと、に記録し、前記ホストコンピュータに格納し、制御するための制御手段によって、売買取引の機能を有する取引システムの手段を備え、予め設定することで、自動的に配信されるＥメール手段と、取引の詳細情報と価格の変動を表示する手段と、を有する前記不動産物件ファイル・前記不動産加盟店ファイル、前記賃貸物件ファイル・前記賃貸加盟店ファイル、前記あらゆる商材に対応する物件・物品ファイル・前記あらゆる商材に対応する物件・物品加盟店ファイルと、を設けた取引システムの手段を備えたことを特徴とする請求項１〜請求項６の何れかに記載した物件・物品の取引システム。
【請求項８】
前記通信システムは、前記ホストコンピュータとインターネットの有線通信手段あるいは、無線通信手段とに応じた通信装置を介して、複数の端末装置と双方向の通信を可能とする、通信手段を備えた通信システム手段を備えたことを特徴とする請求項１〜請求項７の何れかに記載した物件・物品の取引システム。
【発明の詳細な説明】
【技術分野】
【０００１】
本発明は、物件・物品の売買において、販売をアシスト（ａｓｓｉｓｔ）支援する取引システムの手法に関するものである。
【背景技術】
【０００２】
先ず、明細書を記載するにあたって、本発明が取り扱う物件、物品の種類は多岐に渡るため、最も効果を齎すと思われる商材として、個人での中古車販売を主体にして明細書を作成するものであるが、加盟店ファイルと車輌物件ファイルの名称とファイル内のデータを書き換えることにより、どのような商材にも対応する物件・物品の取引システムであることを先に記述するものである。
中古車輌の市場流通は、車輌の販売業者や取扱業者間で行われるオークション、あるいは展示販売などによる取引手法が主流であった。一部ではオークションによる個人間の売買があるが、取引における信頼性が乏しい為、一般的ではなかった。さらに手続きに関わる業務を個人で行なうのは大変な労力を要した。オークションは、競売方式であるため、最高額での落札か／応札されずに取引が不成立となるかの何れかであった。また、販売業者や取扱業者は都道府県外の業者も参加していた。
【０００３】
これらの販売方法では、オークション会場や展示販売するための車輌を、現地に搬送し展示する必要がある。また業者間での売買であることから、エンドユーザーに行き着くまで、車輌の搬送は、何度も繰り返される。当然のことながら、業者はこれらの経費も販売価格に加算した小売販売価格を設定する。
【０００４】
また展示販売では、店頭に車輌を陳列して販売することから、広大な敷地を必要とすると共に、事務所、設備、人件費などに掛かる経費は、販売車輌に加算されていた。そのため、小売販売価格は、業者販売価格の上乗せ率１０〜４０％程度でエンドユーザーと取引される。
【０００５】
現行の車輌販売の手法は、単なる物件・物品の売買といえるが、前所有者が愛着を持って大切にしていた愛車においては、次の所有者にも大切に乗り継いで欲しいと、願うもので、新車からの所有者では、なおさら強く感じるものである。
【０００６】
また、車輌の査定において、大切に維持していたかを知る術は、点検の記録簿程度しか参考にされない、所有者の愛車に対する想いは、評価の対象外となる。さらに、装備品のオプションも査定評価は低い、これらの中古車輌の販売は、あくまで物品販売であり、そこには、前所有者と次所有者とのコミュニケーションが存在することは、無かったといえる。
【０００７】
車輌の所有者は、長年、車と過ごすことで愛着が芽生えるのは、当然のことであり、次に継承する所有者が、大切に乗り継いでくれることを願う心情は、ごく自然な感情といえる。
【先行技術文献】
【特許文献】
【０００８】
【特許文献１】特許公開３９２４６８２の公報
【発明の概要】
【発明が解決しようとする課題】
【０００９】
以上ことを鑑み、従来の車輌の取引手法の課題として、５つの課題を取り上げる。１．個人と個人の売買取引を促進させることで、搬送時の陸送の回数を軽減し、ガソリン又は軽油の化石燃料の使用量を最小限にして、ＣＯ２の排出量を削減する地球環境にやさしい取引手法と、２．従来の展示販売に関わる、建物、設備、人件費などの費用の削減によって、販売開始の車輌価格を、安価に設定する取引手法と、３．地元企業の取引を活性化させて、地域経済を促進させるための地産地消型の取引手法と、４．販売者（現所有者）と購入者（次所有者）のコミュニティーを、促進させるための取引手法と、５．取引するための在庫車輌を有しない、車輌販売の取引手法、と、によって販売者側と購入者側の、両者が利益を共有できる取引手法を課題としている。
【００１０】
ゆえに、個人間の車輌売買を促進させるためには、安心して購入するための、信頼性が不可欠である。個人売買であっても、大手中古車のディーラー車程度の、整備車輌を提供する必要がある。
【００１１】
さらに、購入者の希望によって、車検、点検、整備、保証、保険、名義変更、車庫証明等を、オプション化とすることで、個人ニーズに合わせた購入方法が、選択できる取引システムを提供する必要がある。
【課題を解決するための手段】
【００１２】
本発明は、有線、無線の何れかの、双方向が可能な端末装置のパーソナルコンピュータあるいはパーソナルコンピュータと、同機能を有する端末装置を活用した、インターネットの中古車輌の販売で、５つ課題のために発明された、物件・物品の取引システムを提供するものである。
【００１３】
この物件・物品の取引システムの特徴は、通常の競売方式のオークションシステム手法と、特許第３９２４６８２号（以下、変動オークションシステムと称す）を活用した手法と、最落販売価格を設定して、応札者から購入者を選定できる、選定オークションシステム手法と、の、３つの取引手法を、取引システムのプログラムとして構築しており、さらに、個人取引を円滑にするため、第三者機関の企業を車輌の販売アシスト（ａｓｓｉｓｔ）支援として機能する、取引システムのプログラムを構築したことを特徴としている。
【００１４】
先ず、個人売買を促進させるためには、一元化された車輌の整備技術を有する、加盟店および専門の技術者らによる、公明性を備えた、査定評価が必須である。現況、の車輌の整備産業では、既に大手企業の加盟店が、全国で一律のサービスを提供している。これら企業との提携によって、車輌整備の第三者機関が設けられ、各地域を拠点とする加盟店で、均一のサービスを提供することができる。
【００１５】
本発明は、車輌の販売希望者が、本管理社のホームページ（以下、ＨＰと称す）の、ＷＥＢサイトに通信システムを介して、出品者が、予め習得した出品者ＩＤと暗証番号により、ログインして車輌物件ファイルに格納された車輌情報のフォームで、車輌の出品登録の入力を行なうことにより、加盟店ファイルと車輌物件ファイルとに、出品者の情報が記録される。設定により、予め格納された加盟店ファイルの住所録・郵便番号・電話番号の何れかの、記録データから近隣の加盟店の検索を行ない、出品者の住居と最も近しい加盟店を検索して、加盟店（販売アシスト）に出品者の情報を、自動配信Ｅメール手段によって、提供する手段を備えたことを特徴としている。
【００１６】
各地域の加盟店は、それぞれのＩＤと暗証番号によって、ＨＰのＷＥＢサイトにアクセスし、ログインすることによって、各店のオプションを加盟店ファイルに登録することで、加盟店ファイルに店舗毎区分けしたデータとして記録され、販売をアシストする出品者の、車輌物件ファイルに自動的に記録されることで、車輌情報のフォームにオプション内容が、自動的に表示される手段を備えた取引システムである。
【００１７】
以上のように、ホストコンピュータは、メインプログラム・入札価格ファイル・イメージファイル・車輌物件ファイル・価格ファイル・加盟店ファイルと、を格納しており、取引手段として、前記メインプログラムは、オークションシステム・変動オークションシステム・選定オークションシステムと、を備えており、これらを制御するための制御手段は、設定によって連動し稼動する取引システムの手段を特徴としている。
【００１８】
通信システムによって、端末装置と接続された入札者は、ＨＰ内のＷＥＢサイトに、予め習得した出品者ＩＤと暗証番号で、ログインを行い、車輌情報のフォームに、車輌の入札キーの入力を行なうことにより、ホストコンピュータ内の制御手段を介して、メインプログラムが連動し稼動することにより、加盟店ファイルと車輌物件ファイルと入札価格ファイルと価格ファイルと、に記録され価格の変動が車輌情報フォームに表示される。
【００１９】
落札者の個人情報および車輌等の情報は、ホストコンピュータの制御手段を介して、メインプログラムが連動し稼動することにより、車輌物件ファイルと、加盟店ファイルと、入札価格ファイルと、価格ファイルと、に記録された後、販売をアシストする加盟店と出品者に、自動配信Ｅメールによって、落札者の情報が提供される手段を備え、さらに、ある時間を持って、落札者からの応答がない場合、契約不履行とし、順次最高額の入札者が、落札者とされる手段を備えた取引システムである。なお、出品者には、個人情報保護法に基づき、必要最低限に留めた落札者情報が提供される。
【００２０】
地域の加盟店は、車輌の販売アシスト（ａｓｓｉｓｔ）支援として、出品者と落札者の取引を、円滑に進行させる責務が有る。落札者の申請書類の受取り及び車輌代金と、車検・点検・整備・保険・保証・登録諸費用などのオプション依頼の代金と、を徴収し、出品者には、取引に関わる手数料を差し引いた落札額を支払い、譲渡書、委任状等の必要書類を受取り、申請業務を速やかに行なうことで、個人間でも車輌の売買が健全に行なわれる。
【００２１】
このように、地元の加盟店へと自動的にＥメール配信され、その加盟店の専門の技術者が、直接、出品希望者と面談をおこない、車輌の出品情報（メーカー名、車種名、グレード名、年式、型式等、車輌の評価、走行距離、損傷度合、装備オプション）などを確認して査定を行なうことから、全国で一元化した評価査定が得られ、個人売買の取引であっても信頼性が担保される。
【００２２】
このとき、専門の技術者は、査定以外にＨＰのＷＥＢサイトに情報登録するため、各部位の車輌写真と取引手法について、出品者と相談しながら進めていくアドバイザー的な役割を持った、車輌の販売アシストであり、出品者に代わって加盟店ファイルに車輌情報を入力することで、加盟店ファイルと車輌物件ファイルと、に記録され、車輌情報のフォームに車輌情報が表示されることで、取引が開始される手段を備えた取引システムである。
【００２３】
出品希望者が、車輌に対して愛着を持って維持し、装備品のオプション等に、お金をいかに充当していたかなど、ＨＰのＷＥＢサイトの車輌情報のフォームの出品者コメント欄にコメントを記載することで、より評価を高くすることが出来る。また、出品者の意向により、試乗会、展示会などを催すことで、新たなコミュニケーションが生まれ、高い評価が期待できる。なお、試乗においては、法令順守の上、車輌保険等の加入が条件になる。
【００２４】
さらに、出品者は、物件・物品の取引手法を次の３つの中から選択できる。通常の競売方式のオークションシステム手法と、変動オークションシステム手法と、選定オークションシステム手法と、の何れかの物件・物品の取引システムを選択することにより、迅速、且つ円滑な取引を行うことが可能になる。
【００２５】
通常の競売方式のオークションシステム手法は、高い評価で販売したい取引方法に対して、変動オークションシステム手法は、季節的に需要がある四輪駆動車輌など、時期的に高低する値動きに対応する取引方法であり、最落販売価格を設定して、応札者から購入者を選定できる、選定オークションシステム手法は、価格以外で大切に継承してくれる次なる所有者を出品者が選べる取引方法である。
【００２６】
これらの販売手法は、出品者が、車輌に対する想い入れを、表現するための取引システムの手法として取り入れたものである。
【００２７】
このように、ＨＰのＷＥＢサイトの車輌情報のフォームの中古車情報を、閲覧し、車輌を購入しようとする者としては、前所有者が、どれだけ大切にして維持していたか、が解かる、整備記録簿では計り知れないところである。これらの判断材料が高い評価へ導いてゆくと推測される。また、車輌の車検、整備、保証、名義変更に伴う諸費用等を、オプションとして選択できるため、車輌の購入者は、不必要な費用を抑えられる。なお、落札者の契約不履行の場合は、順次最高額の入札者が落札することとなる。
【００２８】
さらに、個人売買では落札されるまでの間、車輌を自己の駐車場に保管していることから、販売業者の売買が成立するまでの間、在庫として車輌を保管することがない。
【００２９】
ゆえに従来の小売販売業者の敷地、施設、設備、人件費などが、計上加算された小売販売価格から、個人間の売買に代わることで、実質費用のみに抑えられ、販売価格を安価に設定できる。また、新車から乗りかえる所有者は、予め他店（ディーラー）などで査定されることで、その査定額を販売開始価格にすることにより、高額の落札が期待できる。
【００３０】
なお出品者は、出品車輌の取引が完了するまでの間、車輌を使用することもあるため、何らかのトラブルの発生時には、出品者が速やかに加盟店に連絡を行なうことで、加盟店は問題が解決されるまでの間、取引を停止させる責務を兼ねている。
【００３１】
また、個人間の車輌売買では、直接、エンドユーザーへと納車されるため、搬送するための陸送が１回となり、化石燃料の使用量を軽減させることが出来る。つまり、業者間の取引と比べ、飛躍的にＣＯ２の排出量を削減することが出来るのである。さらに、地域の加盟店においては、車輌の車検、整備、保証、名義変更に伴う諸費用のオプション収益等が見込まれ、地域産業が活性化されることが予測できる。
【００３２】
本管理社のＨＰのＷＥＢサイトは、提携企業および加盟店、広告宣伝等の収益によって運営されるものである。
【発明の効果】
【００３３】
本発明によれば、車輌の個人売買を促進させることによって、ＣＯ２排出量の削減による地球環境の改善、地産地消型産業による地域経済の活性化、販売者と購入者のコミュニティー推進、不必要な経費の削減などの効果が得られる。
【００３４】
以上のことから、車輌の販売者（出品者）と購入者（落札者）の双方は、利益を共有することが可能になり、仲介的な役割を果たす第三者機関の加盟店も実質労務費を利益とすることが出来るなど、取引に携わる三者にとって有益な利益を共存できる効果がある。
【図面の簡単な説明】
【００３５】
【図１】物件・物品の取引システムにおける通信経路の全体系と、出品者ステップ・入札者ステップ・落札者ステップ・加盟店ステップを時系列で表した概略図である。
【図２】物件・物品の取引システムのホストコンピュータの構成図である。
【図３】物件・物品の取引システムの入札から落札までの取引状態を仮想図で表した概略図である。
【図４】物件・物品の取引システムの入会から落札までのフロチャートを表した概略図である。
【図５】物件・物品の取引システムの車輌情報のフォームの出品登録画面と入札登録画面を表したフォームの概略図である。
【図６】特許第３９２４６８２号の価格変動プログラムの数値入力フォームを抜粋した参考の図である。
【図７】特許第３９２４６８２号の価格変動プログラムの物件検索フォームを抜粋した参考の図である。
【図８】物件・物品の取引システムのホストコンピュータの構成図で、物件・物品ファイル・物件・物品加盟店ファイルを表した図である。
【発明を実施するための形態】
【００３６】
以下、本実施形態の物件・物品の取引システムの図面を参照し説明する。
【実施例１】
【００３７】
販売をアシストする加盟店２０と、出品者１９と、落札者２２と、が、どのようなプロセスを経て取引が行なわれるか、図３の一例によって説明する。ホストコンピュータ１は、メインプログラム２・価格変動プログラム３・制御手段４・加盟店ファイル５・入札価格ファイル６・価格ファイル７・イメージファイル８・車輌物件ファイル９・車輌情報のフォーム１０を格納しており、入札者ａ２３〜入札者ｅ２７と、出品者ａ２８〜出品者ｄ３１と、落札者ａ３２〜落札者ｃ３４と、加盟店ａ３５〜加盟店ｊ４４とは、無線通信手段に応じた通信装置を介して、複数の端末装置１４と双方向の通信を可能とする、通信システム１６の状態を示している図である。入札者１８・出品者１９・加盟店２０・落札者２２とが、不ぞろいに点在しているのは、某区内での距離を表し、双方向の矢印の点線は、現在、落札された車輌の商談中（詳細な打ち合わせ）を表している。出品者ａ２８が、落札されるまでの経緯を説明する。出品者ａ２８は、予め取得したＩＤでログインし、車輌情報のフォーム１０の出品申し込み欄に必要事項を記入し、登録キーの入力を受け付けることで、予め格納された加盟店ファイル５の住所録などの記録データから、出品者ａ２８の住居と最も近しい加盟店ｂ３６が選定される。その後、加盟店ｂ３６の専門の技術者２１が、出品者ａ２８に連絡して面談を行い、出品車輌の詳細情報を収集し、車輌情報のフォーム１０の販売車輌の情報登録欄に入力することによって、加盟店ファイル５と車輌物件ファイル９とに記録されて、車輌情報のフォーム１０に車輌の出品情報が表示され、取引が開始される。出品者ａ２８の選択した取引システムによって、落札に至った落札者ｂ３３は、加盟店ｂ３６の専門の技術者２１から連絡を受け、車輌の商談（詳細な打ち合わせ）を行なうことになる。また、落札者ｂ３３の情報は落札された時点で、加盟店ファイル５と車輌物件ファイル９などに記録される。このように個人の車輌販売を第三者機関の企業の加盟店２０を介して、車輌の販売アシスト（ａｓｓｉｓｔ）支援を行なうことで、出品者１９と落札者２２の取引を円滑に進行させる取引システムを構築している。なお、加盟店ｆ４０と出品者ｄ３１は近隣の関係で、加盟店ｈ４２と出品者ｂ２９も近隣の関係が確認できる。つまり、設定されたプログラムの演算によって、複数の加盟店２０の中から出品者１９の居住と最も近しい、地元の加盟店２０が選出されたことを意味している。また、落札者ｃ３４と落札者ａ３２は、近隣の関係ではないことが分かる。落札者２２については誰も選ぶことはできない、が、車輌の販売アシスト（ａｓｓｉｓｔ）支援を行なうことで、所定の手数料またはオプション（車検・点検・整備・保証・保険等）の実質労務費用の収益が期待できる。なお、図３の某区内の縮尺図は、広範囲に点在する入札者ａ２３〜入札者ｅ２７と、出品者ａ２８〜出品者ｄ３１と、落札者ａ３２〜落札者ｃ３４と、加盟店ａ３５〜加盟店ｊ４４と、を仮想的に表現するために用いた図である。
【００３８】
図１が示す、個人の車輌販売を、第三者機関の企業の加盟店２０を介して、車輌の販売アシスト（ａｓｓｉｓｔ）支援を行なうことで、出品者１９（スッテプ）と落札者２２（ステップ）の取引を円滑に進行させる取引システムであって、ホストコンピュータ１と、複数の端末コンピュータ１４又は同機能を有する端末装置１５とが通信システム１６を介して接続されており、前記端末装置１５は前記通信システム１６を介して、車輌情報のフォーム１０で検索・入札・登録・削除の入力を行なう手段と、予め設定することで自動的に配信されるＥメール手段を、加盟店ファイル５と車輌物件ファイル９と、に格納した自動配信Ｅメール手段と、取引の詳細情報と価格の変動を表示する手段と、を有する前記ホストコンピュータ１は、図２が示す、メインプログラム２・入札価格ファイル６・イメージファイル８・車輌物件ファイル９・価格ファイル７・加盟店ファイル５と、を格納しており、制御するための制御手段４を有し、取引手段として、前記メインプログラム２は、オークションシステム１１・変動オークションシステム１２・選定オークションシステム１３を備え、前記オークションシステム１１・前記変動オークションシステム１２・前記選定オークションシステム１３の、何れかひとつの取引手段を選択することで、プログラムが稼動し、取引が開始される取引システムの手段を、備えたことを特徴とする物件・物品の取引システムである。
【００３９】
前記車輌の販売アシスト（ａｓｓｉｓｔ）支援によって、出品者と落札者の取引を円滑に進行させる取引システムは、図４と図５が示す、出品者１９が、予め取得したＩＤでログインすることで、車輌物件ファイル９に格納した車輌情報のフォーム１０の出品申し込み欄に、必要事項を記入し、登録キーの入力を受け付けることにより、加盟店ファイル５と車輌物件ファイル９等に、出品者１９の情報が記録される、設定により、予め格納された加盟店ファイル５の住所録・郵便番号・電話番号の何れかの記録データから、近隣の加盟店２０の検索を行ない、出品者１９の住居と最も近しい、加盟店２０を検索して、地域の加盟店２０の専門の技術者２１に、出品者１９の情報を提供する手段を、備えたことを特徴とする物件・物品の取引システムである。
【００４０】
図３と図４が示す、入札者１８は、予め取得したＩＤでログインすることで、車輌物件ファイル９に格納した車輌情報のフォーム１０で、車輌情報の閲覧と検索ができ、前記オークションシステム１１は、入札キーの入力を受け付けることにより、入札価格ファイル６に記録される入札受付番号を取得させて、取引期間内で最高額を入札した者を落札者２２とする手段を、備えたことを特徴とする物件・物品の取引システムである。
【００４１】
図４と図５が示す、入札者１８は、予め取得したＩＤでログインすることで、車輌物件ファイル９に格納した車輌情報のフォーム１０で、車輌情報の閲覧と検索ができ、図６と図７の参考図が示す、前記変動オークションシステム１２は、指定した数値入力と入札とによって、特許第３９２４６８２号の価格変動プログラム３のアルコリズムによって稼動し、価格を変動させるシステムであって、入札キーの入力を受け付けることにより、入札価格ファイル６に記録される入札受付番号を取得させて、取引期間内で最高額あるいは、指定金額を入札した者を落札者２２とする手段を、備えたことを特徴とする車輌販売の取引システムである。なお図６と図７は、本発明の構成図ではないが、数値入力と価格の変動状態を表すため、特許第３９２４６８２号の図面を抜粋し参考図にしたものである。
【００４２】
図４と図５が示す、入札者１８は、予め取得したＩＤでログインすることで、車輌物件ファイル９に格納した車輌情報のフォーム１０で、車輌情報の閲覧と検索ができ、前記選定オークションシステム１３は、最落販売価格を設定して、応札者から購入者を選定できるシステムであって、入札キーの入力を受け付けることにより、入札価格ファイル６に記録される入札受付番号を取得させて、取引期間内に出品者１９は応札者の情報が、自動配信Ｅメール手段にて提供されることで、出品者１９と応札者の面談が行なわれ、落札者２２を選定する手段を、備えたことを特徴とする物件・物品の取引システムである。
【００４３】
図４が示す、前記オークションシステム１１・前記変動オークションシステム１２・前記選定オークションシステム１３の、何れかの取引手段によって、落札した落札者２２の情報は、加盟店ファイル５と、車輌物件ファイル９と、入札価格ファイル６と、価格ファイル７と、に落札者２２の情報が記録される、設定により、加盟店ファイル５から選定された、販売をアシストする加盟店２０と出品者１９に、落札者２２の情報を提供する手段を、備えたことを特徴とする物件・物品の取引システムである。
【００４４】
図４が示す、前記車輌物件ファイル９は、展示会又は試乗会の開催日の記録データを格納する機能を有しており、前記車輌情報のフォーム１０から申し込みキーの入力を受け付けることにより、車輌物件ファイル９に記録される、前記車輌情報のフォーム１０に展示会又は試乗会の案内が、表示されることで参加した者は、個人同士の売買取引によって、コミュニケーションが生じる取引手法と、落札者２２への納車を１回に限定できることで、搬送時の陸送を軽減し、ガソリン又は軽油の化石燃料の使用量を最小限にして、ＣＯ２の排出量を削減する地球環境にやさしい取引手法と、前記オークションシステム１１・前記変動オークションシステム１２・前記選定オークションシステム１３は、従来の展示販売に関わる土地・建物、設備・人件費の費用の削減によって、販売開始の車輌価格を安価に設定する取引手法と、地元企業の取引を活性化させて、地域経済を促進させるための地産地消型の取引手法と、取引するための在庫車輌を有しない、車輌販売の取引手法と、によって販売者側と購入者側の両者が、利益を共有できる取引手法と、を手段とする取引システムを備えたことを特徴とする物件・物品の取引システムである。
【００４５】
図２と図８が示す、前記ホストコンピュータ１内に格納された、前記加盟店ファイル５と前記車輌物件ファイル９の名称とファイル内の車輌の情報データを消去し、新たに書き換えられた物件・物品の情報データを不動産物件ファイル・不動産加盟店ファイル、賃貸物件ファイル・賃貸加盟店ファイル、あらゆる商材に対応する物件・物品ファイル・あらゆる商材に対応する物件・物品加盟店ファイルと、に記録し、前記ホストコンピュータ１に格納し、制御するための制御手段４によって、売買取引の機能を有する取引システムの手段を備え、予め設定することで自動的に配信されるＥメール手段と、取引の詳細情報と価格の変動を表示する手段と、を有する前記不動産物件ファイル・前記不動産加盟店ファイル、前記賃貸物件ファイル・前記賃貸加盟店ファイル、前記あらゆる商材に対応する物件・物品ファイル・前記あらゆる商材に対応する物件・物品加盟店ファイルと、を設けた取引システムの手段を備えたことを特徴とする物件・物品の取引システムである。なお図２が示す、加盟店ファイル５と車輌物件ファイル９には、符号が記載されているが、図８が示す、物件・物品加盟店ファイルと物件・物品ファイルには、符号が付けられていない、物件・物品加盟店ファイルと物件・物品ファイルには、ほかにも不動産・賃貸などの各ファイルがあることから、符号と図面を省略した。但し、物件・物品の情報は記録データとして、物件・物品加盟店ファイルと物件・物品ファイル内に格納されている図である。
【００４６】
図１が示す、前記通信システム１６は、前記ホストコンピュータ１とインターネットの有線通信手段あるいは、無線通信手段と、に応じた通信装置を介して、複数の端末装置１４と、双方向の通信を可能とする通信手段４を備えた通信システム１６手段を、備えたことを特徴とする物件・物品の取引システムである。
【産業上の利用可能性】
【００４７】
これらの取引システムは、加盟店ファイル５と車輌物件ファイル９の名称とファイル内のデータを書き換えることで、中古車輌以外の分野、例えば、不動産の売買において、信頼し得る、第三者の鑑定機関を介在させることで可能になるなど、あらゆる物件・物品の売買取引の要素を含んでいる。
【符号の説明】
【００４８】
１ホストコンピュータ
２メインプログラム
３価格変動プログラム
４制御手段
５加盟店ファイル
６入札価格ファイル
７価格ファイル
８イメージファイル
９車輌物件ファイル
１０車輌情報のフォーム
１１オークションシステム
１２変動オークションシステム
１３選定オークションシステム
１４複数の端末コンピュータ
１５端末装置
１６通信システム
１７端末コンピュータ
１８入札者
１９出品者
２０加盟店
２１技術者
２２落札者
２３入札者ａ
２４入札者ｂ
２５入札者ｃ
２６入札者ｄ
２７入札者ｅ
２８出品者ａ
２９出品者ｂ
３０出品者ｃ
３１出品者ｄ
３２落札者ａ
３３落札者ｂ
３４落札者ｃ
３５加盟店ａ
３６加盟店ｂ
３７加盟店ｃ
３８加盟店ｄ
３９加盟店ｅ
４０加盟店ｆ
４１加盟店ｇ
４２加盟店ｈ
４３加盟店ｉ
４４加盟店ｊ
【図１】
2014134941.tif 000003
【図２】
2014134941.tif 000004
【図３】
2014134941.tif 000005
【図４】
2014134941.tif 000006
【図５】
2014134941.tif 000007
【図６】
2014134941.tif 000008
【図７】
2014134941.tif 000009
【図８】
2014134941.tif 000010
【手続補正書】
【提出日】平成25年1月28日(2013.1.28)
【手続補正１】
【補正対象書類名】明細書
【補正対象項目名】全文
【補正方法】変更
【補正の内容】
【発明の詳細な説明】
【技術分野】
【０００１】
本発明は、物件・物品の取引システムの手法に関するものである。
【背景技術】
【０００２】
先ず、明細書を記載するにあたって、本発明が取り扱う物件、物品の種類は多岐に渡るため、最も効果を齎すと思われる商材として、個人での中古車販売を主体にして明細書を作成するものであるが、加盟店ファイルと車輌物件ファイルの名称とファイル内のデータを書き換えることにより、どのような商材にも対応する物件・物品の取引システムであることを先に記述するものである。
中古車輌の市場流通は、車輌の販売業者や取扱業者間で行われるオークション、あるいは展示販売などによる取引手法が主流であった。一部ではオークションによる個人間の売買があるが、取引における信頼性が乏しい為、一般的ではなかった。
さらに手続きに関わる業務を個人で行なうのは大変な労力を要した。オークションは、競売方式であるため、最高額での落札か／応札されずに取引が不成立となるかの何れかであった。
また、販売業者や取扱業者は都道府県外の業者も参加していた。
【０００３】
これらの販売方法では、オークション会場や展示販売するための車輌を現地に搬送し展示する必要がある。また業者間での売買であることからエンドユーザーに行き着くまで、車輌の搬送は何度も繰り返される。
当然のことながら、業者はこれらの経費も販売価格に加算した小売販売価格を設定する。
【０００４】
また展示販売では、店頭に車輌を陳列して販売することから、広大な敷地を必要とすると共に事務所、設備、人件費などに掛かる経費は、販売車輌に加算されていた。
そのため、小売販売価格は業者販売価格の上乗せ率１０〜４０％程度でエンドユーザーと取引される。
【０００５】
現行の車輌販売の手法は、単なる物件・物品の売買といえるが、前所有者が愛着を持って大切にしていた愛車においては、次の所有者にも大切に乗り継いで欲しいと願うもので、新車からの所有者では、なおさら強く感じるものである。
【０００６】
また、車輌の査定において、大切に維持していたかを知る術は、点検の記録簿程度しか参考にされない、所有者の愛車に対する想いは評価の対象外となる。さらに、装備品のオプションも査定評価は低い、
これらの中古車輌の販売は、あくまで物品販売であり、そこには、前所有者と次所有者とのコミュニケーションが存在することは無かったといえる。
【０００７】
車輌の所有者は、長年、車と過ごすことで愛着が芽生えるのは、当然のことであり、次に継承する所有者が、大切に乗り継いでくれることを願う心情は、ごく自然な感情といえる。
【先行技術文献】
【特許文献】
【０００８】
【特許文献１】特許公開３９２４６８２の公報
【発明の概要】
【発明が解決しようとする課題】
【０００９】
以上ことを鑑み、従来の車輌の取引手法の課題として、５つの課題を取り上げる。
１．個人と個人の売買取引を促進させることで、搬送時の陸送の回数を軽減し、ガソリン又は軽油の化石燃料の使用量を最小限にして、ＣＯ２の排出量を削減する地球環境にやさしい取引手法と、
２．従来の展示販売に関わる、建物、設備、人件費などの費用の削減によって、販売開始の車輌価格を安価に設定する取引手法と、
３．地元企業の取引を活性化させて、地域経済を促進させるための地産地消型の取引手法と、４．販売者（現所有者）と購入者（次所有者）のコミュニティーを促進させるための取引手法と、
５．取引するための在庫車輌を有しない、車輌販売の取引手法と、
によって販売者側と購入者側の両者が利益を共有できる取引手法を課題としている。
【００１０】
ゆえに個人間の車輌売買を促進させるためには、安心して購入するための信頼性が不可欠である。個人売買であっても大手中古車のディーラー車程度の整備車輌を提供する必要がある。
【００１１】
さらに購入者の希望によって、車検、点検、整備、保証、保険、名義変更、車庫証明等をオプション化とすることで、個人ニーズに合わせた購入方法が選択できる取引システムを提供する必要がある。
【課題を解決するための手段】
【００１２】
本発明は、インターネット通信によって、あらゆる物件・物品の取引支援を第三機関の加盟店を介して促進させるために発明されたものであり、中古車輌の販売では、５つの課題を解決するために物件・物品の取引システムを提供するものである。
【００１３】
この物件・物品の取引システムの特徴は、通常の競売方式のオークションシステム手法と、
特許第３９２４６８２号（以下、変動オークションシステムと称す）を活用した手法と、
最落販売価格を設定して応札者から購入者を選定できる選定オークションシステム手法と、の３つの取引手法を取引システムのプログラムとして構築しており、
さらに、個人取引を円滑にするため、第三者機関の企業を車輌の販売アシスト（ａｓｓｉｓｔ）として機能する取引システムのプログラムを構築したことを特徴としている。
【００１４】
先ず、個人売買を促進させるためには、一元化された車輌の整備技術を有する加盟店および専門の技術者らによる、公明性を備えた査定評価が必須である。
現況の車輌の整備産業では、既に大手企業の加盟店が全国で一律のサービスを提供している。
これら企業との提携によって、車輌整備の第三者機関が設けられ各地域を拠点とする加盟店で均一のサービスを提供することができる。
【００１５】
本発明は、車輌の販売希望者が、本管理社のホームページ（以下、ＨＰと称す）のＷＥＢサイトに通信システムを介して、出品者が予め習得したＩＤと暗証番号により、ログインして車輌物件ファイルに格納された車輌情報のフォームで車輌の出品登録の入力を行なうことにより、加盟店ファイルと車輌物件ファイルとに出品者の情報が記録される。
設定により、予め格納された加盟店ファイルの住所録・郵便番号・電話番号の何れかの記録データから近隣の加盟店の検索を行ない、出品者の住居と最も近しい加盟店を検索して加盟店（販売アシスト）に出品者の情報を自動配信Ｅメール手段によって、提供する手段を備えたことを特徴としている。
【００１６】
各地域の加盟店は、それぞれのＩＤと暗証番号でＨＰのＷＥＢサイトにアクセスし、ログインを行い、各店のオプションを加盟店ファイルに登録することで、加盟店ファイルに店舗毎区分けしたデータとして記録され、
販売をアシストする出品者の車輌物件ファイルに自動的に記録されることで、車輌情報のフォームにオプション内容が自動的に表示される手段を備えた取引システムである。
【００１７】
以上のように、ホストコンピュータは、メインプログラム・入札価格ファイル・イメージファイル・車輌物件ファイル・価格ファイル・加盟店ファイルと、を格納しており、
取引手段として、前記メインプログラムは、オークションシステム・変動オークションシステム・選定オークションシステムと、を備え、これらを制御するための制御手段は設定によって連動し稼動する取引システムの手段を特徴としている。
【００１８】
通信システムによって、端末装置と接続された入札者は、ＨＰ内のＷＥＢサイトに、予め習得したＩＤと暗証番号でログインを行い、車輌情報のフォームに車輌の入札キーの入力を行なうことにより、ホストコンピュータ内の制御手段を介して、
メインプログラムが連動し稼動することにより、加盟店ファイルと車輌物件ファイルと入札価格ファイルと価格ファイルとに記録され、価格の変動が車輌情報フォームに表示される。
【００１９】
落札者の個人情報および車輌等の情報はホストコンピュータの制御手段を介して、
メインプログラムが連動し稼動することにより、車輌物件ファイルと、加盟店ファイルと、入札価格ファイルと、価格ファイルと、に記録された後、販売をアシストする加盟店と出品者に自動配信Ｅメールによって、落札者の情報が提供される手段を備えており、
さらに、ある時間を持って落札者からの応答がない場合、契約不履行とし、順次最高額の入札者が落札者とされる手段を備えた取引システムである。なお、出品者には、個人情報保護法に基づき、必要最低限に留めた落札者情報が提供される。
【００２０】
地域の加盟店は車輌の販売アシスト（ａｓｓｉｓｔ）として、出品者と落札者の取引を円滑に進行させる責務を有している。
落札者の申請書類の受取り及び車輌代金と、車検・点検・整備・保険・保証・登録諸費用などのオプション依頼の代金とを徴収し、
出品者には取引に関わる手数料を差し引いた落札額を支払い、譲渡書・委任状等の必要書類を受取り、申請業務を速やかに行なうことで個人間でも車輌の売買が健全に行なわれる。
【００２１】
このように、地元の加盟店へと自動的にＥメール配信され、その加盟店の専門の技術者が、直接、出品希望者と面談をおこない、車輌の出品情報（メーカー名、車種名、グレード名、年式、型式等、車輌の評価ランク、走行距離、損傷度合、装備オプション）などを確認して査定を行なうことから全国で一元化した評価査定が得られ、個人売買の取引であっても信頼性が担保される。
【００２２】
このとき、専門の技術者は、査定以外にＨＰのＷＥＢサイトに情報登録するため、各部位の車輌写真と取引手法について、出品者と相談しながら進めていくアドバイザー的な役割を持った車輌の販売アシストであり、
出品者に代わって加盟店ファイルに車輌情報を入力することで、加盟店ファイルと車輌物件ファイルとに記録され、車輌情報のフォームに車輌情報が表示されることで取引が開始される手段を備えた取引システムである。
【００２３】
出品希望者が、車輌に対して愛着を持って維持し装備品のオプション等に、お金をいかに充当していたかなどをＨＰのＷＥＢサイトの車輌情報のフォームの出品者コメント欄にコメントを記載することで、より評価を高くすることが出来る。
また、出品者の意向により、試乗会／展示会などを催すことで、新たなコミュニケーションが生まれ、高い評価が期待できる。なお、試乗においては、法令順守の上、車輌保険等の加入が条件になる。
【００２４】
さらに、出品者は物件・物品の取引手法を次の３つの中から選択できる。
通常の競売方式のオークションシステム手法と、
変動オークションシステム手法と、
選定オークションシステム手法と、の何れかの物件・物品の取引システムを選択することにより、迅速、且つ円滑な取引を行うことが可能になる。
【００２５】
通常の競売方式のオークションシステム手法は、高い評価で販売したい取引方法に対して、
変動オークションシステム手法は、季節的に需要がある四輪駆動車輌など時期的に高低する値動きに対応する取引方法であり、
選定オークションシステム手法は、予め最落販売価格を設定して、価格以外で大切に継承してくれる次なる所有者を出品者が選べる取引方法である。
【００２６】
これらの販売手法は、出品者が車輌に対する想い入れを表現するための取引システムの手法として取り入れたものである。
【００２７】
このように、ＨＰのＷＥＢサイトの車輌情報のフォームの中古車情報を閲覧し、車輌を購入しようとする者としては、前所有者が、どれだけ大切にして維持していたかが解かる、整備記録簿では計り知れないところである。
これらの判断材料が高い評価へ導いてゆくと推測される。また、車輌の車検、整備、保証、名義変更に伴う諸費用等をオプションとして選択できるため、車輌の購入者は、不必要な費用を抑えられる。
【００２８】
さらに、個人売買では落札されるまでの間、車輌を自己の駐車場に保管していることから、
販売業者の売買が成立するまでの間、在庫として車輌を保管する、という必要がなくなる。
【００２９】
ゆえに従来の小売販売業者の敷地、施設、設備、人件費などが、計上加算された小売販売価格から個人間の売買に代わることで、実質費用のみに抑えられ販売価格を安価に設定できる。
また、新車から乗りかえる所有者は、予め他店（ディーラー）などで査定されることで、その査定額を販売開始価格にすることにより、高額の落札が期待できる。
【００３０】
なお出品者は、出品車輌の取引が完了するまでの間、車輌を使用することもあるため、何らかのトラブルの発生時には、出品者が速やかに加盟店に連絡を行なうことで、加盟店は問題が解決されるまでの間、取引を停止させる責務を兼ねている。
【００３１】
また個人間の車輌売買では、直接、エンドユーザーへと納車されるため、搬送するための陸送が１回となり、化石燃料の使用量を軽減させることが出来る。
つまり、業者間の取引と比べ、飛躍的にＣＯ２の排出量を削減することが出来るのである。
さらに、地域の加盟店においては、車輌の車検、整備、保証、名義変更に伴う諸費用のオプション収益等が見込まれ、地域産業が活性化されることが予測できる。
【００３２】
本管理社のＨＰのＷＥＢサイトは、提携企業および加盟店、広告宣伝等の収益によって運営されるものである。
【発明の効果】
【００３３】
本発明によれば、取引を支援する中古車輌では、車輌の個人売買を促進させることによって、ＣＯ２排出量の削減による地球環境の改善、地産地消型産業による地域経済の活性化、販売者と購入者のコミュニティー推進、不必要な経費の削減などの効果が得られる。
【００３４】
以上のことから、車輌の販売者（出品者）と購入者（落札者）の双方は、利益を共有することが可能になり、仲介的な役割を果たす第三者機関の加盟店も実質労務費を利益とすることが出来るなど、取引に携わる三者にとって有益な利益を共存できる効果がある。
【図面の簡単な説明】
【００３５】
【図１】物件・物品の取引システムにおける通信経路の全体系と、出品者ステップ・入札者ステップ・落札者ステップ・加盟店ステップを時系列で表した概略図である。
【図２】物件・物品の取引システムのホストコンピュータの構成図である。
【図３】物件・物品の取引システムの入札から落札までの取引状態を仮想図で表した概略図である。
【図４】物件・物品の取引システムの入会から落札までのフロチャートを表した概略図である。
【図５】物件・物品の取引システムの車輌情報のフォームの出品登録画面と入札登録画面を表したフォームの概略図である。
【図６】特許第３９２４６８２号の価格変動プログラムの数値入力フォームを抜粋した参考の図である。
【図７】特許第３９２４６８２号の価格変動プログラムの物件検索フォームを抜粋した参考の図である。
【図８】物件・物品の取引システムのホストコンピュータの構成図で、物件・物品ファイル・物件・物品加盟店ファイルを表した図である。
【発明を実施するための形態】
【００３６】
以下、本実施形態の物件・物品の取引システムの図面を参照し説明する。
【実施例１】
【００３７】
販売をアシストする加盟店２０と出品者１９と落札者２２とが、どのようなプロセスを経て取引が行なわれるかを図３の一例によって説明する。
ホストコンピュータ１は、メインプログラム２・価格変動プログラム３・制御手段４・加盟店ファイル５・入札価格ファイル６・価格ファイル７・イメージファイル８・車輌物件ファイル９・車輌情報のフォーム１０を格納しており、
入札者ａ２３〜入札者ｅ２７と、出品者ａ２８〜出品者ｄ３１と、落札者ａ３２〜落札者ｃ３４と、加盟店ａ３５〜加盟店ｊ４４とは、無線通信手段に応じた通信装置を介して、
複数の端末装置１４と双方向の通信を可能とする、通信システム１６の状態を示している図である。入札者１８・出品者１９・加盟店２０・落札者２２らが不ぞろいに点在しているのは、某区内での距離を表し、双方向の矢印の点線は、現在、落札された車輌の商談中（詳細な打ち合わせ）を表している。
出品者ａ２８が、落札されるまでの経緯を説明する。
出品者ａ２８は、予め取得したＩＤと暗証番号によりログインを行い、車輌情報のフォーム１０の出品申し込み欄に必要事項を記入し、登録キーの入力を受け付けることで、予め格納された加盟店ファイル５の住所録などの記録データから、出品者ａ２８の住居と最も近しい加盟店ｂ３６が選定される。
その後、加盟店ｂ３６の専門の技術者２１が、出品者ａ２８に連絡して面談を行い、出品車輌の詳細情報を収集し、加盟店ファイル５の販売車輌の情報登録欄に車輌情報を入力することによって、加盟店ファイル５と車輌物件ファイル９とに記録され、車輌情報のフォーム１０に車輌の出品情報が表示されることにより、取引が開始される。
出品者ａ２８の選択した取引システムによって、落札に至った落札者ｂ３３は、加盟店ｂ３６の専門の技術者２１から連絡を受け、車輌の商談（詳細な打ち合わせ）を行なうことになる。また、落札者ｂ３３の情報は落札された時点で、加盟店ファイル５と車輌物件ファイル９などに記録される。
このように個人の車輌販売を第三者機関の企業の加盟店２０を介して、車輌の販売アシスト（ａｓｓｉｓｔ）を行なうことで、出品者１９と落札者２２の取引を円滑に進行させる取引システムを構築している。なお、加盟店ｆ４０と出品者ｄ３１は近隣の関係で加盟店ｈ４２と出品者ｂ２９も近隣の関係が確認できる。
つまり、設定されたプログラムの演算機能によって、複数の加盟店２０の中から出品者１９の居住と最も近しい、地元の加盟店２０が選出されたことを意味している。また、落札者ｃ３４と落札者ａ３２は近隣の関係ではないことが分かる。
落札者２２については誰も選ぶことはできないが、車輌の販売アシスト（ａｓｓｉｓｔ）を行なうことで、所定の手数料またはオプション（車検・点検・整備・保証・保険等）の実質労務費用の収益が期待できる。
なお、図３の某区内の縮尺図は、広範囲に点在する入札者ａ２３〜入札者ｅ２７と、出品者ａ２８〜出品者ｄ３１と、落札者ａ３２〜落札者ｃ３４と、加盟店ａ３５〜加盟店ｊ４４と、を仮想的に表現するために用いた図である。
【００３８】
図１が示す、個人の車輌販売を第三者機関の企業の加盟店２０を介して、車輌の販売アシスト（ａｓｓｉｓｔ）を行なうことで、出品者１９（スッテプ）と落札者２２（ステップ）の取引を円滑に進行させる取引システムであって、
ホストコンピュータ１と複数の端末コンピュータ１４又は同機能を有する端末装置１５とが通信システム１６を介して接続されており、前記端末装置１５は前記通信システム１６を介して、加盟店ファイル５および車輌情報のフォーム１０で検索・入札・登録・削除の入力を行なう入力手段と、
予め設定することで自動的に配信されるＥメール手段を加盟店ファイル５と車輌物件ファイル９とに格納した自動配信Ｅメール手段と、
取引の詳細情報と価格の変動を表示する表示手段と、を有する前記ホストコンピュータ１は、制御するための制御手段４を有し、
図２が示す、メインプログラム２・入札価格ファイル６・イメージファイル８・車輌物件ファイル９・価格ファイル７・加盟店ファイル５と、を格納しており、
取引手段として、前記メインプログラム２は、オークションシステム１１・変動オークションシステム１２・選定オークションシステム１３を備え、前記オークションシステム１１・前記変動オークションシステム１２・前記選定オークションシステム１３の、何れかひとつの取引手段を選択することでプログラムが稼動し、取引が開始される取引システムの手段を備えたことを特徴とする物件・物品の取引システムである。
【００３９】
前記車輌の販売アシスト（ａｓｓｉｓｔ）によって、出品者と落札者の取引を円滑に進行させる取引システムは、図４と図５が示す、
出品者１９が、予め取得したＩＤと暗証番号によりログインを行い、車輌物件ファイル９に格納した車輌情報のフォーム１０の出品申し込み欄に、必要事項を記入し登録キーの入力を受け付けることにより、加盟店ファイル５と車輌物件ファイル９等に出品者１９の情報が記録される。
設定により、予め格納された加盟店ファイル５の住所録・郵便番号・電話番号の何れかの記録データから、近隣の加盟店２０の検索を行なう演算機能によって、出品者１９の住居と最も近しい加盟店２０を検索して、地域の加盟店２０の専門の技術者２１に出品者１９の情報を提供する手段を備えたことを特徴とする物件・物品の取引システムである。
【００４０】
図３と図４が示す、入札者１８は、予め取得したＩＤと暗証番号によりログインを行い、車輌物件ファイル９に格納した車輌情報のフォーム１０により、車輌情報の閲覧と検索が行なえ、
前記オークションシステム１１は、入札キーの入力を受け付けることにより、入札価格ファイル６に記録される入札受付番号を取得させて、取引期間内で最高額を入札した者を落札者２２とする落札手段を備えたことを特徴とする物件・物品の取引システムである。
【００４１】
図４と図５が示す、入札者１８は、予め取得したＩＤと暗証番号によりログインを行い、車輌物件ファイル９に格納した車輌情報のフォーム１０により、車輌情報の閲覧と検索が行なえ、
図６と図７の参考図が示す、前記変動オークションシステム１２は、指定した数値入力と入札とを入力することで、特許第３９２４６８２号の価格変動プログラム３のアルコリズムによって稼動し、価格を変動させるシステムであって、
入札キーの入力を受け付けることにより、入札価格ファイル６に記録される入札受付番号を取得させて、取引期間内で最高額あるいは指定金額を入札した者を落札者２２とする落札手段を備えたことを特徴とする車輌販売の取引システムである。
なお、図６と図７は、本発明の構成図ではないが数値入力と価格の変動状態を表すため、特許第３９２４６８２号の図面を抜粋し参考図にしたものである。
【００４２】
図４と図５が示す、入札者１８は、予め取得したＩＤと暗証番号によりログインを行い、車輌物件ファイル９に格納した車輌情報のフォーム１０により、車輌情報の閲覧と検索が行なえ、
前記選定オークションシステム１３は、最落販売価格を設定して応札者から購入者を選定できるシステムであって、
入札キーの入力を受け付けることにより、入札価格ファイル６に記録される入札受付番号を取得させて、取引期間内に出品者１９は、複数の応札者の情報が自動配信Ｅメール手段にて提供されることで、出品者１９と応札者の面談が行なわれ、落札者２２を選定する応談手段を備えたことを特徴とする物件・物品の取引システムである。
【００４３】
図４が示す、前記オークションシステム１１・前記変動オークションシステム１２・前記選定オークションシステム１３の、何れかの取引手段によって、落札した落札者２２の情報は加盟店ファイル５と、車輌物件ファイル９と、入札価格ファイル６と、価格ファイル７と、に落札者２２の情報が記録される。
設定により、加盟店ファイル５から選出された、販売をアシストする加盟店２０と出品者１９に落札者２２の情報を提供する手段を備えたことを特徴とする物件・物品の取引システムである。
【００４４】
図４が示す、前記車輌物件ファイル９は、展示会又は試乗会の開催日の記録データを格納する機能を有しており、
前記車輌情報のフォーム１０から申し込みキーの入力を受け付けることにより、車輌物件ファイル９に記録される。
前記車輌情報のフォーム１０に展示会又は試乗会の案内が表示されることで、参加した者は個人同士の売買取引によって、コミュニケーションが生じる取引手法と、
落札者２２への納車を１回に限定できることで、搬送時の陸送を軽減し、ガソリン又は軽油の化石燃料の使用量を最小限にして、ＣＯ２の排出量を削減する地球環境にやさしい取引手法と、前記オークションシステム１１・前記変動オークションシステム１２・前記選定オークションシステム１３は、従来の展示販売に関わる土地・建物、設備・人件費の費用の削減によって、販売開始の車輌価格を安価に設定する取引手法と、
地元企業の取引を活性化させて、地域経済を促進させるための地産地消型の取引手法と、
取引するための在庫車輌を有しない、車輌販売の取引手法と、によって販売者側と購入者側の両者が利益を共有できる取引手法と、を手段とする取引システム手段を備えたことを特徴とする物件・物品の取引システムである。
【００４５】
図２と図８が示す、個人又は業者の物件・物品の取引の支援において、
前記ホストコンピュータ１内に格納された、前記加盟店ファイル５と前記車輌物件ファイル９の名称とファイル内の車輌の情報データを消去し、
新たに書き換えられた物件・物品の情報データを不動産物件ファイル・不動産加盟店ファイル、賃貸物件ファイル・賃貸加盟店ファイル、あらゆる商材に対応する物件・物品ファイル・あらゆる商材に対応する物件・物品加盟店ファイルと、に記録し、
前記ホストコンピュータ１に格納し、制御するための制御手段４によって、物件・物品の取引の機能を有する取引システムの手段を備えており、
予め設定することで自動的に配信されるＥメール手段と、
取引の詳細情報と価格の変動を表示する手段と、を有する前記不動産物件ファイル・前記不動産加盟店ファイル、前記賃貸物件ファイル・前記賃貸加盟店ファイル、前記あらゆる商材に対応する物件・物品ファイル・前記あらゆる商材に対応する物件・物品加盟店ファイルと、を設けた取引システムの手段を備えたことを特徴とする物件・物品の取引システムである。
なお、図２が示す、加盟店ファイル５と車輌物件ファイル９には符号が記載されているが、
図８が示す、物件・物品加盟店ファイルと物件・物品ファイルには符号が付けられていない、物件・物品加盟店ファイルと物件・物品ファイルには、ほかにも不動産・賃貸などの各ファイルがあることから符号と図面を省略した。但し、物件・物品の情報は記録データとして物件・物品加盟店ファイルと物件・物品ファイル内に格納されている図である。
【００４６】
図１が示す、前記通信システム１６は、前記ホストコンピュータ１とインターネットの有線通信手段あるいは無線通信手段とに応じた通信装置を介して、
複数の端末装置１４と双方向の通信を可能とする通信手段４を備えた通信システム１６手段を備えたことを特徴とする物件・物品の取引システムである。
【産業上の利用可能性】
【００４７】
これらの取引システムは、加盟店ファイル５と車輌物件ファイル９の名称とファイル内のデータを書き換えることで、中古車輌以外の分野、例えば、不動産の売買あるいは賃貸において、信頼し得る第三者の鑑定機関を介在させることで可能になるなど、あらゆる物件・物品の取引の要素を含んでいる。
この取引システムを不動産企業の賃貸加盟店で例えると、所有者（出品者）が賃貸情報のフォームに登録することで近隣の賃貸加盟店が選出され、取引のアシストとして賃借契約までの支援を行うものであり、賃貸物件の評価価値によってオークションシステム・変動オークションシステム・選定オークションシステムの、何れかの取引手段を所有者が選択することにより、取引が開始され市場性を備えた賃貸物件の情報を幅広く提供することができる。
このように、様々なビジネス形態に対応する取引システムは、各種企業の取引を活性化させる可能性を有している。
【符号の説明】
【００４８】
１ホストコンピュータ
２メインプログラム
３価格変動プログラム
４制御手段
５加盟店ファイル
６入札価格ファイル
７価格ファイル
８イメージファイル
９車輌物件ファイル
１０車輌情報のフォーム
１１オークションシステム
１２変動オークションシステム
１３選定オークションシステム
１４複数の端末コンピュータ
１５端末装置
１６通信システム
１７端末コンピュータ
１８入札者
１９出品者
２０加盟店
２１技術者
２２落札者
２３入札者ａ
２４入札者ｂ
２５入札者ｃ
２６入札者ｄ
２７入札者ｅ
２８出品者ａ
２９出品者ｂ
３０出品者ｃ
３１出品者ｄ
３２落札者ａ
３３落札者ｂ
３４落札者ｃ
３５加盟店ａ
３６加盟店ｂ
３７加盟店ｃ
３８加盟店ｄ
３９加盟店ｅ
４０加盟店ｆ
４１加盟店ｇ
４２加盟店ｈ
４３加盟店ｉ
４４加盟店ｊ
【手続補正２】
【補正対象書類名】特許請求の範囲
【補正対象項目名】全文
【補正方法】変更
【補正の内容】
【特許請求の範囲】
【請求項１】
本発明は、出品者と落札者の取引を円滑に進行させる取引システムであって、
ホストコンピュータと複数の端末コンピュータ又は同機能を有する端末装置とが、通信システムを介して接続されており、
前記ホストコンピュータは、
メインプログラム・入札価格ファイル・イメージファイル・物件・物品ファイル・価格ファイル・加盟店ファイルと、を格納しており、
前記メインプログラムは、オークションシステム・変動オークションシステム・選定オークションシステムと、を備え、
前記オークションシステム・前記変動オークションシステム・前記選定オークションシステムの、何れかひとつの取引手段を選択し設定により、プログラムが稼動し取引が開始される前記取引システムの手段を機能させるためのプログラムを記録した前記ホストコンピュータ読み取り可能な記録媒体を備えたことを特徴とする物件・物品の取引システム。
【請求項２】
前記通信システムは、前記ホストコンピュータとインターネットの有線通信手段あるいは、無線通信手段とに応じた通信装置を介して、複数の端末装置と双方向の通信を可能とする通信の手段を備えた通信システム手段を備えており、
前記端末装置は前記通信システムを介して、物件・物品ファイル内の情報のフォームで検索・入札・登録・削除の入力を行なう手段と、予め設定することで自動的に配信されるＥメール手段を加盟店ファイルと前記物件・物品ファイルとに格納した自動配信Ｅメール手段と、物件または物品の取引の詳細情報と価格の変動を表示する手段と、を有し、
出品者は、予め取得したＩＤと暗証番号によりログインを行い、前記物件・物品ファイルに格納した前記情報のフォームの出品申し込み欄に必要事項を記入し登録キーの入力を受け付けることにより、前記加盟店ファイルと前記物件・物品ファイルに出品者の情報が記録される、
設定により、予め格納された複数の前記加盟店ファイルの住所録・郵便番号・電話番号の何れかの記録データから、近隣の前記加盟店の検索を行なう演算機能によって出品者の住居と最も近しい前記加盟店を検索して、地域の前記加盟店に出品者の情報を提供する手段とからなる前記取引システムの手段を備えたことを特徴とする請求項１に記載した物件・物品の取引システム。
【請求項３】
第三者機関の企業を介して取引の支援を行なう前記取引システムにおいて、
前記物件・物品ファイルと前記加盟店ファイル及び前記情報のフォームは、新たに書き換えられた第三機関の企業の物件または物品のデータ情報として、
不動産物件ファイル・不動産加盟店ファイル、賃貸物件ファイル・賃貸加盟店ファイル、あらゆる商材に対応する物件・物品ファイル・あらゆる商材に対応する物件・物品加盟店ファイル又は情報のフォームと、に適応する企業のデータ情報を記録し、
前記ホストコンピュータに格納した前記不動産物件ファイル・前記不動産加盟店ファイル、前記賃貸物件ファイル・前記賃貸加盟店ファイル、前記あらゆる商材に対応する物件・物品ファイル・前記あらゆる商材に対応する物件・物品加盟店ファイルと、を設けたことによって、
あらゆるビジネス形態の取引を支援する手段を備えた前記取引システムの手段を備えたことを特徴とする請求項１〜請求項２の何れかに記載した物件・物品の取引システム。
【請求項４】
入札者は、予め取得したＩＤと暗証番号によりログインを行い、前記物件・物品ファイルに格納した前記情報のフォームで情報の閲覧と検索ができ、
前記オークションシステムは、入札キーの入力を受け付けることにより、前記入札価格ファイルに記録される、入札受付番号を取得させて、取引期間内で最高額を入札した者を落札者とする落札手段を備えたことを特徴とする請求項１〜請求項３の何れかに記載した物件・物品の取引システム。
【請求項５】
入札者は、予め取得したＩＤと暗証番号によりログインを行い、前記物件・物品ファイルに格納した前記情報のフォームで情報の閲覧と検索ができ、
前記変動オークションシステムは、指定した数値入力と入札とによって、特許第３９２４６８２号の価格変動プログラムのアルコリズムが稼動し、価格を変動させるシステムであって、
入札キーの入力を受け付けることにより、前記入札価格ファイルに記録される入札受付番号を取得させて、取引期間内で最高額あるいは、指定金額を入札した者を落札者とする落札手段を備えたことを特徴とする請求項１〜請求項４の何れかに記載した物件・物品の取引システム。
【請求項６】
入札者は、予め取得したＩＤと暗証番号によりログインを行い、前記物件・物品ファイルに格納した前記情報のフォームで情報の閲覧と検索が行なえ、
前記選定オークションシステムは、最落販売価格を設定して応札者から購入者を選定できるシステムであって、
入札キーの入力を受け付けることにより、前記入札価格ファイルに記録される、入札受付番号を取得させて、取引期間内に出品者は、応札者の情報が提供されることで出品者と応札者の面談が行なわれ、落札者を選定する応談手段を備えたことを特徴とする請求項１〜請求項５の何れかに記載した物件・物品の取引システム。
【請求項７】
前記オークションシステム・前記変動オークションシステム・前記選定オークションシステムの、何れかの取引手段によって、
落札に至った落札者の情報は、前記加盟店ファイルと前記物件・物品ファイルと前記入札価格ファイルと前記価格ファイルと、に落札者の情報が記録される、
設定により、前記加盟店ファイルから選出された取引をアシストする前記加盟店と、出品者に落札者の情報を提供する提供手段を備えたことを特徴とする請求項１〜請求項６の何れかに記載した物件・物品の取引システム。
【請求項８】
前記物件・物品ファイルは、展示会又は試乗会の開催日の記録データを有しており、
前記情報のフォームから申し込みキーの入力を受け付けることにより、前記物件・物品ファイルに記録される、前記情報のフォームに展示会又は試乗会の案内が表示されることで参加者は、コミュニケーションが生じる取引手法のコミュニケーション手段を備えたことを特徴とする請求項１〜請求項７の何れかに記載した物件・物品の取引システム。
【手続補正４】
【補正対象書類名】図面
【補正対象項目名】図８
【補正方法】変更
【補正の内容】
【図８】
2014134941.tif 000011